(57)【要約】【課題】  開封が容易にでき、かつ内容物の取り出しが容易で、ケースの解体と廃棄が容易になり、解体後のケースを古紙として再利用することができる。【解決手段】  背面パネルと天面パネルと正面パネルと底面パネルの四面の連接するパネルとを有し、各パネルの両側に設けられた側面フラップにより側面パネルを形成して直方体形状に組み立てられる紙製収納箱において、組立状態で、前記正面パネルまたは背面パネルのいずれかのパネルの面上と、両側面パネルを構成する外フラップまたは内フラップの上方とに、下方から上方に切込線からなる開封手段が設けられている。【選択図】  図１
2005104548.tif 000002
【特許請求の範囲】
【請求項１】
背面パネルと天面パネルと正面パネルと底面パネルとの四面の連接するパネルを有し、各パネルの両側に設けられた側面フラップにより側面パネルを形成して直方体形状に組み立てられる紙製収納箱において、
組立状態で、前記正面パネルまたは背面パネルのいずれかのパネルの面上と、両側面パネルを構成する外フラップまたは内フラップの上方とに、下方から上方に切込線からなる開封手段が設けられていることを特徴とする紙製収納箱。
【請求項２】
前記正面パネルまたは背面パネルの開封手段は、正面パネルまたは背面パネルの中央領域に頂点を有する末広がり形状に配置された切込線によって形成されていることを特徴とする請求項１記載の紙製収納箱。
【請求項３】
前記両側面パネルを構成する外フラップまたは内フラップに、さらに、側面パネルの中央領域から下方に切込線からなる開封手段が設けられていることを特徴とする請求項１または２記載の紙製収納箱。
【請求項４】
前記開封手段を構成する切込線は、直線状、曲線状または折れ線状で、末広がりに形成されていることを特徴とする請求項１乃至３のいずれかに記載の紙製収納箱。
【請求項５】
前記開封手段は、前記正面パネルまたは背面パネルのうちのいずれかのパネルと側面パネルとのそれぞれのほぼ中央に、頂部が位置するように末広がり形状に設けられたジッパーの切込線であることを特徴とする請求項１乃至４のいずれかに記載の紙製収納箱。
【請求項６】
前記正面パネルまたは背面パネルのいずれかのパネルの開封手段を構成する末広がり形状の切込線の頂部に、細長い開口部が設けられていることを特徴とする請求項１乃至５のいずれかに記載の紙製収納箱。
【請求項７】
前記側面パネルの開封手段を構成する末広がり形状の切込線の頂部に開口部を形成するために、両側面パネルを構成する外フラップおよび／または内フラップの縁部に切欠き部が設けられていることを特徴とする請求項１乃至６のいずれかに記載の紙製収納箱。
【請求項８】
前記開口部が、左右に細長い長方形、鼓形、繭玉形、菱形、楕円形、円形、四角形、台形のいずれかの形状であることを特徴とする請求項６または７記載の紙製収納箱。
【請求項９】
両側に側面フラップをそれぞれ有する四つのパネルを連接し、これらパネルの接合部に沿って折り曲げることによって直方体形状に組み立てられる段ボールブランクであって、糊代が、天面パネルまたは底面パネルのいずれか一方の縁辺に沿って設けられることを特徴とする請求項１乃至８のいずれかに記載の紙製収納箱。
【請求項１０】
前記紙製収納箱は、ラップラウンドケースであることを特徴とする請求項１乃至９のいずれかに記載の紙製収納箱。
【請求項１１】
前記紙製収納箱は、カットシートを収納することを特徴とする請求項１乃至１０のいずれかに記載の紙製収納箱。
【発明の詳細な説明】
【技術分野】
【０００１】
本発明は、複数冊のカットシート冊を収納するためのラップラウンドケースのような紙製収納箱に係わるもので、特に、開封と内容物の取出しおよび廃棄とが容易な紙製収納箱に関するものである。
【背景技術】
【０００２】
一般に、紙製収納箱としてのラップラウンドケースは、コピー用紙等のカットシート（平判シート）を包装用紙で包装した冊の、複数冊を、段ボールケースを折り曲げながら箱詰めするので、カットシート冊を取出す際には、紙製収納箱の天面パネルや側面パネル等の、糊付けされて接着された４枚のフラップを剥して紙製収納箱を開き、内容物であるカットシート冊を取り出している。
【０００３】
このような紙製収納箱の開封を容易にするために、パネルやフラップ等にミシン目やジッパー等の切れ目を入れたカートンや、ラップラウンドケースのような紙製収納箱が知られている（例えば、特許文献１参照。）。
【０００４】
また、従来の紙製収納箱において、例えば缶体収納用の紙製収納箱として、一方の側版に把持孔を穿設し、この把持孔から切取り線をほぼＶ字形に形成し、さらに、この切取り線の一端と連なる切溝を内フラップに穿設し、また、外フラップの一端に切欠きを施し、他端に斜め方向の切取り線を施した開蓋手段を設けたものが知られている（例えば、特許文献２参照。）。
【０００５】
【特許文献１】特開平８−２１７０６１号公報(第３〜６頁、図１〜図４）
【特許文献２】実開平６−８７２２１号公報（第２〜４頁、図１〜図１０）
【発明の開示】
【発明が解決しようとする課題】
【０００６】
しかしながら、このような従来における紙製収納箱においては、特に、ラップラウンドケースのような場合、製作上、カットシート等の内容物を包むかたちで形成されているために、内容物の取り出し時に、紙製収納箱の内面との摩擦によって内容物を取り出すのが非常に難しく、また、低い位置からの取り出しが一層困難であり、取り扱う者の指や爪を傷付ける等の不都合が見られる。また、ラップラウンドケースでなく、Ａ式段ボール箱のような通常の段ボール箱の場合も内容物がカットシートであれば、箱と内容物の隙間が小さいので、類似の問題がある。
【０００７】
また、開封された紙製収納箱の廃棄の時も、従来の紙製収納箱は、押し潰して畳んだ状態が保持し難く、折り目部分の厚さに基づく段ボールの弾性力によって膨らみ易いために、開封した紙製収納箱の集積や結束が、やり難い等の問題が見られる。
【０００８】
このように、従来の、内容物が段ボールケースの内寸法一杯の、ラップラウンドケースのような紙製収納箱は、側面からだけの開封では、内容物が取り出すのが困難である。また、使用後の解体も、封緘時の糊等の接着剤や止め金具、またはテープ等を剥さなくてはならない等の問題も見られる。さらに、封緘テープが用いられている場合に、カッターのような道具を使用するか、あるいはまた爪で切って開封しなければならず、爪で切って開封する時に指先の怪我につながる恐れがあるし、開封した紙製収納箱の集積や結束が行い難い等の種々の問題が見られる。
【０００９】
従って、本発明の目的は、このような従来における問題を解決するために、ケースの正面パネルまたは背面パネルのいずれか一方と、これら正面パネルまたは背面パネルと隣接する側面パネルに、切込線から成る開封手段を設けることによって、箱を容易に開封できる構成とし、内容物を容易に取り出すことができると共に、ケースを容易に折り畳むことができて、廃棄がし易く、しかも箱の再利用もできる紙製収納箱を提供することにある。
【課題を解決するための手段】
【００１０】
上述の目的を達成するために、本発明の紙製収納箱は、背面パネルと天面パネルと正面パネルと底面パネルとの四面の連接するパネルを有し、各パネルの両側に設けられた側面フラップにより側面パネルを形成して直方体形状に組み立てられる紙製収納箱において、組立状態で、前記正面パネルまたは背面パネルのいずれかのパネルの面上と、両側面パネルを構成する外フラップまたは内フラップの上方とに、下方から上方に切込線からなる開封手段が設けられていることを特徴とする。
【００１１】
また、本発明の紙製収納箱は、前記正面パネルまたは背面パネルの開封手段が、正面パネルまたは背面パネルの中央領域に頂点を有する末広がり形状に配置された切込線によって形成されていることを特徴とする。
【００１２】
さらに、本発明の紙製収納箱は、前記両側面パネルを構成する外フラップまたは内フラップに、さらに、側面パネルの中央領域から下方に切込線からなる開封手段が設けられていることを特徴とする。
【００１３】
さらにまた、本発明の紙製収納箱は、前記開封手段を構成する切込線が、直線状、曲線状または折れ線状で、末広がりに形成されていることを特徴とする。
【００１４】
本発明の紙製収納箱は、前記開封手段が、前記正面パネルまたは背面パネルのうちのいずれかのパネルと側面パネルとのそれぞれのほぼ中央に、頂部が位置するように末広がり形状に設けられたジッパーの切込線であることを特徴とする。
【００１５】
また、本発明の紙製収納箱は、前記正面パネルまたは背面パネルのいずれかのパネルの開封手段を構成する末広がり形状の切込線の頂部に、細長い開口部が設けられていることを特徴とする。
【００１６】
さらに、本発明の紙製収納箱は、前記側面パネルの開封手段を構成する末広がり形状の切込線の頂部に開口部を形成するために、両側面パネルを構成する外フラップおよび／または内フラップの縁部に切欠き部が設けられていることを特徴とする。
【００１７】
さらにまた、本発明の紙製収納箱は、前記開口部が、左右に細長い長方形、鼓形、繭玉形、菱形、楕円形、円形、四角形、台形のいずれかの形状であることを特徴とする。
【００１８】
本発明の紙製収納箱は、両側に側面フラップをそれぞれ有する四つのパネルを連接し、これらパネルの接合部に沿って折り曲げることによって直方体形状に組み立てられる段ボールブランクであって、糊代が、天面パネルまたは底面パネルのいずれか一方の縁辺に沿って設けられることを特徴とする。
【００１９】
また、本発明の紙製収納箱は、ラップラウンドケースであることを特徴とする。
【００２０】
さらに、本発明の紙製収納箱は、カットシートを収納することを特徴とする。
【００２１】
なお、本明細書中において、切込線は、開封時や解体時に切離す線を意味し、折れ線は、開封時や解体時に折り曲げ易くしてある線を意味する。また、紙製収納箱としての「ラップラウンドケース」とは、打抜かれた板状の段ボールブランクの上に、機械的に集積された内容物を載せて、それを包み込んで、継ぎしろとフラップとをホットメルト接着剤等で糊貼りした段ボール箱を言うものであり、さらにまた、「ジッパー」とは、「く」の字形や、「かぎ」形や、「Ｉ」の字形、「Ｙ」の字形、または「Ｔ」の字形等の切込みが直線状や曲線状に連続して形成された切込線を言うものである。さらにまた、内容物としては、カットシートの他に、ペットボトルやガラスビン、缶等の飲料容器や食品等がある。
【発明の効果】
【００２２】
以上説明したように、本発明の紙製収納箱は、背面パネルと天面パネルと正面パネルと底面パネルとの四面の連接するパネルを有し、各パネルの両側に設けられた側面フラップにより側面パネルを形成して直方体形状に組み立てられる紙製収納箱において、組立状態で、正面パネルまたは背面パネルのいずれかのパネルの面上と、両側面パネルを構成する外フラップまたは内フラップの上方に、必要に応じて下方にも、側面パネルの中央領域から上方または下方に、好ましくは末広がり形状の、直線状、円弧状または折れ線状の切込線からなる開封手段が設けられ、かつこの末広がり形状の切込線の頂部に、好ましい形態として細長い開口部が設けられているので、紙製収納箱の正面と両側面のパネルを開封することで、開封を容易に行うことができ、内容物の容易な取り出しと、箱の再利用ができ、ケースの解体および廃棄が容易になり、さらにまた古紙として再生利用が可能となる等の効果が得られる。
【００２３】
また、本発明の紙製収納箱は、両側に側面フラップをそれぞれ有する四つのパネルを連接し、これらパネルの接合部に沿って折り曲げることによって直方体形状に組み立てられる段ボールブランクから形成されるものであって、糊代が、天面パネルまたは底面パネルのいずれか一方の縁辺に沿って設けられるので、細長い開口部に指先を掛けて簡単に、しかも良好な状態に開封することができ、解体後の廃棄も容易であり、普通の段ボールケースと同様に簡単に、かつ大量に、しかも安価に製作することができる。
【発明を実施するための最良の形態】
【００２４】
本発明の紙製収納箱は、４面の連接するパネルを有し、各パネルの両側に設けられた側面フラップにより側面パネルを形成して直方体形状に組み立てられ、正面パネルまたは背面パネルのいずれか一つのパネルの面上と、両側面パネルを構成する外フラップまたは内フラップの上方に、さらに、必要に応じて下方にも、側面パネルの中央領域から上方に広がった切込線からなる開封手段が設けられている。
【００２５】
本発明のその他の目的や特徴および利点は、添付図面に示される本発明の紙製収納箱の実施形態についての以下の詳細な説明から明らかである。
【実施例１】
【００２６】
図１乃至図４は、本発明の紙製収納箱の実施例１を図示、説明するための概要図で、図１は、本発明の実施例１における紙製収納箱をブランク状態に開いた展開図、図２は、本発明の紙製収納箱に内容物を収納して閉鎖した時の斜視図で、図３乃至図５は、本発明の紙製収納箱を開封した時の状態を順に示す斜視図である。
【００２７】
なお、本発明の紙製収納箱は、４つの主要なパネルから形成される直方体形状のケースとして、以下に図示、説明されるが、本発明は、このような直方体形状に限られるものではなく、これと異なった形状の長方体や、立方体形状等のケースにも適宜に適用できるものであることは勿論である。
【００２８】
図１および図２に示されるように、本発明の紙製収納箱１０は、図１の展開状態において、４面の連続する主要なパネルとしての、背面パネル１と天面パネル２と正面パネル３と底面パネル４と、接合部としての糊代５と、これら４つの主要なパネルの両側に設けられた側面パネルとしての内フラップ６、８、１１、１３と外フラップ７、９、１２、１４とを有するものである。
【００２９】
このような本発明の紙製収納箱１０において、これら背面パネル１と天面パネル２と正面パネル３と底面パネル４と、側面パネルを形成する内フラップ６、８、１１、１３と外フラップ７、９、１２、１４とに、開封手段が設けられる。この開封手段は、ミシン目やジッパー、あるいは切込み等によって形成される切込線から成るもので、全体として直線状や円弧等の曲線状または折れ線状に、例えば末広がりのほぼ「八」の字形状に形成されるものである。
【００３０】
本発明の紙製収納箱１０において、これら背面パネル１と正面パネル３との内のいずれか１つのパネル、図示の実施例１では正面パネル３、のほぼ中央の領域に細長い開口部１９が設けられ、この開口部１９の両端に、頂点が位置するように末広がり形状、例えば「八」の字形状の正面ジッパーとしての切込線２０が、上方に末広がりに開いたほぼ「八」の字形状に直線状に設けられると共に、隣接の天面パネル２と底面パネル４の側面パネルを形成する外フラップ７、１２と外フラップ９、１４との外縁側の中央部分に、それぞれ頂点が位置するように、同様に末広がり形状、例えば「八」の字形状に、側面ジッパーとしての切込線２１、２３と切込線２２、２４とがそれぞれ円弧状に設けられており、さらに、底面パネル４の端辺に接合部としての糊代５が設けられている。
【００３１】
なお、図示されるように、細長い開口部１９は、正面パネル３のほぼ中央に設けられているが、開口部１９は、このような中央の位置に限られるものでは無く、上下方向のいずれの位置に設けても良く、従って、開口部１９を上方または下方のいずれの位置にも配置できると共に、また、左右の方向にも位置を動かすことができるものである。さらに、開口部１９の形状は、図示の細長い溝形の外に、鼓形、繭玉形、菱形、長円形、楕円形、円形、四角形等の他の任意の形状にすることができる。
【００３２】
さらにまた、切込線２０は、直線状を成しているが、直線状に限らず円弧などの曲線状でも良く、また、切込線２１、２２、２３、２４も、曲線状に限られるものではなく、直線状、曲線状または折れ線状でも良いことは勿論であり、外フラップ７、１２、９、１４の内の上方の外フラップ７、１２、あるいは上下両方の外フラップ７、１２、９、１４に設けることができるものである。
【００３３】
本発明の紙製収納箱１０の図１に示されるような形状のものが、ブランクとして展開した状態のもので、一枚の平らな段ボールや厚紙等から切り出されて作られる。本発明においては、素材として段ボールが使用されるが、素材は、このような段ボールに限られるものではなく、厚紙のような板紙も利用できることは勿論である。ここで、４つの主要なパネルが、背面パネル１、天面パネル２、正面パネル３、底面パネル４の順に連接されているが、接続順序はどのようにでも配置できることは勿論であり、糊代５も天面パネル２や底面パネル４のいずれの縁辺にも設けることができる。
【００３４】
以下に、これら４つの主要なパネルを、背面パネル１、天面パネル２、正面パネル３、底面パネル４として説明するものとする。
【００３５】
本発明の紙製収納箱１０は、図示の展開した状態で板状の段ボールから切り出されて、底面パネル４の縁辺に接合部である糊代５が設けられており、この糊代５に糊のような適宜な接着剤３５等が塗布されて背面パネル１の縁辺に接合されるように形成されている。従って、糊代５は、底面パネル４の縁辺に沿って、図２に示されるように、下側に設けられるようになる。
【００３６】
このような本発明の紙製収納箱１０のブランクを用いて、実際のカットシートの梱包は、一例として次のように行なわれる。
【００３７】
先ず、図１のブランクの状態で、紙製収納箱１０の底面パネル４の上に所要の冊数のカットシート冊が置かれる。次いで、正面パネル３、天面パネル２、背面パネル１が、内容物４０としてのカットシートの堆積された冊の周りに巻かれ、複数冊のカットシート冊の内容物４０の周囲を覆うように取り巻かれる。そして、糊代５の上面に糊などの接着剤３５が塗布されて、この糊代５が真っ直ぐに起こされて、背面パネル１の下方位置の縁辺に沿って糊代５部分が押圧されて接着されるようになる。
【００３８】
次いで、両側の側面パネルを形成する内フラップ６、８、１１、１３が内側に折り曲げられて、その外面の、外フラップ７、９、１２、１４が重なり合う部分の特定個所（７ｂ、９ｂ、１２ｂ、１４ｂ）に糊などの接着剤３５が塗布され、これら内フラップ６、８、１１、１３の上に外フラップ７、９、１２、１４が重なるように折り曲げられて接着剤３５によって内フラップ６、８、１１、１３の上に接合されて、中に内容物４０としてのカットシートの冊が複数個、図示の実施例では５冊、が商品として詰められる。
【００３９】
このようにして、商品としての内容物４０が詰められた紙製収納箱１０は、カットシート冊の周りを背面パネル１、天面パネル２、正面パネル３、底面パネル４で覆い、側面パネルを形成する内フラップ６、８、１１、１３が内側に折り曲げられ、さらに、外フラップ７、９、１２、１４が内側に折り曲げられて、内フラップ６、８、１１、１３の上に相互に重ね合わせられ、重なり合う部分が接着剤３５によって接合されて側面部分（側面パネル）が形成される。これによって、商品が詰められた段ボールの紙製収納箱１０が、図２に示されるような直方体形状のパッケージとして完成される。
【００４０】
また、このような本発明のラップラウンドケースとしての紙製収納箱１０は、図１に示されるような展開状態において、側面パネルの内外フラップ６〜９、１１〜１４の隣接の側面パネルを形成する内外フラップ間に、段ボールの紙厚さに対応した寸法の隙間２６、２７、２８と隙間２９、３０、３１とがそれぞれ設けられており、組立時に各側面パネルの内外フラップ６〜９、１１〜１４が好適に折り曲げられて、内フラップ６、８、１１、１３の上に外フラップ７、９、１２、１４が重なり合って接着されることができるように形成されている。
【００４１】
さらに、このような本発明の紙製収納箱１０において、正面パネル３と、側面パネルを形成する外フラップ７、９、１２、１４とに、図１に示されるように切れ目としての末広がり形状、例えば「八」の字形状の正面ジッパーとしての切込線２０と、側面ジッパーとしての切込線２１、２２、２３、２４とがそれぞれ設けられている。
【００４２】
開封手段として、正面パネル３に形成されるジッパーの切込線２０は、正面パネル３のほぼ中央に末広がり形状、例えば「八」の字形状の切込線２０の頂点が位置するように設けられると共に、この末広がり形状、例えば「八」の字形状のジッパーの切込線２０の頂点の位置に、従って、正面パネル３のほぼ中央に、細長い溝形の孔のような開口部１９が設けられている。
【００４３】
この細長い開口部１９は、紙製収納箱１０を開封する際に、指先を差し込んで引っ掛けて正面パネル３のパネル片３ａ部分を切込線２０に沿って上方に引き裂くことによって、開封することができるように形成されているものである。
【００４４】
また、同様に、側面パネルの外フラップ７、９、１２、１４にも末広がり形状、例えば「八」の字形状のジッパーの切込線２１、２２、２３、２４が設けられている。これら切込線２１、２２、２３、２４は、図示から明らかなように、末広がり形状、例えば「八」の字形状のジッパーの切込線２１、２２、２３、２４の頂点が側面パネルを形成する外フラップ７、９、１２、１４の外縁側のほぼ中央に位置するように形成されることが好適である。
【００４５】
さらに、これら末広がり形状、例えば「八の字」形状のジッパーの切込線２１〜２４の頂点の位置に、切欠き部としての窪み部１５、１６、１７、１８がそれぞれ設けられて、組立て時に、対応する側面パネルを形成する外フラップ７、１２と外フラップ９、１４との間に、手の指を掛けることができるような十分な隙間が、それぞれ形成されるようになっている。
【００４６】
これによって、正面パネル３のパネル片３ａ部分が上方に開かれると共に、外フラップ７、１２が切込線２１、２３に沿って引き裂かれて、天面パネル２も上方に引き裂かれて開かれ、図３に示されるように開かれる。この状態でカットシート冊の取出しが可能となる。続いて、露出したカットシート冊を取出した後、両側の側面パネルを形成する下側の外フラップ９、１４の窪み部１７、１８に手を掛けて下方に押し開くように引き裂けば、外フラップ９、１４は、フラップ片９ａ、１４ａが切込線２２、２４に沿って引き裂かれて開かれ、図４に示される如く開封されるようになる。
【００４７】
続いて、この図４に示される状態から、天面パネル２と背面パネル１とを外方に開くと共に、正面パネル３のパネル片３ｂと外フラップ９、１４のフラップ片９ａ、１４ａを外方に押し倒すように開くと、図５に示されるように紙製収納箱１０を完全に開封して残りのカットシート冊の内容物４０を露呈することができるようになる。
【００４８】
なお、末広がり形状、例えば「八」の字形状のジッパーの切込線２０、２１、２２、２３、２４の端部は、紙製収納箱１０の隅部の角部分と、外フラップ７、９、１２、１４の角部分とから幾分離れた位置に終わっており、これによって紙製収納箱１０が落下した時や、押された時に、角部が潰れて、この角部から壊れ易くなるのを防止している。さらにまた、外フラップ７、９、１２、１４の互いに向き合う縁辺が、組立時に隙間を形成するように外フラップ７、９、１２、１４の大きさが決められており、これによって、紙製収納箱１０が押された時の延びや縮みによって、外フラップ７、９、１２、１４の縁辺が互いに当接して外方にはじけるのを防止するようにしている。
【００４９】
なお、このようなジッパーの切込線２０、２１、２２、２３、２４は、「く」の字形、「かぎ」形、「Ｉ」の字形、「Ｔ」の字形または「Ｙ」の字形の切込み等が連続して直線状あるいは円弧などの曲線または折れ線状に設けられた切込線として形成されるもので、開封時に切込線に沿ってきれいに、かつ裂け易くするために使用されるものである。また、これらの切込線はジッパーに限定されるものではなく、単なるミシン目の切込線とすることも出来る。
【００５０】
さらにまた、外フラップ７、９、１２、１４は、内フラップ６、８、１１、１３よりも長く大きく作られており、内フラップ６、８、１１、１３が短く、小さく作られていて、組立の時に、これら内フラップ６、８、１１、１３間に隙間が形成されて、指先が差し込みし易いように作られている。
【００５１】
このように構成された本発明の紙製収納箱における実際の使用例に就いて次に説明する。
【００５２】
図３乃至図５は、本発明の紙製収納箱１０の開封時の手順を示す説明図である。
【００５３】
先ず、図２に示されるように、閉鎖された紙製収納箱１０を開封する場合には、床やテーブル、または台の上に、図２に示される状態に置かれた紙製収納箱１０において、正面パネル３のほぼ中央の開口部１９部分に指先を押し込んで末広がり形状または「八」の字形状のジッパーの切込線２０に沿ってパネル片３ａ部分の頂部を掴んで上方に引き上げて切断するようにする。
【００５４】
すると、これによって、正面パネル３のパネル片３ａと、これに続く上方の天面パネル２とが、図３に示されるように切込線２０に沿って切断されて開かれると同時に、側面パネルの外フラップ７、１２が切込線２１、２３に沿って切断されて、外フラップ７、１２の、山形三角形状のフラップ片７ａ、１２ａが、天面パネル２と接続した状態で上方に向って開かれる。
【００５５】
従って、側面パネルの外フラップ７、１２は、略直角三角形状のフラップ片７ｂ、１２ｂが、正面パネル３の側面の内フラップ８、１３と背面パネル１の側面の内フラップ６、１１との上にそれぞれ接着した状態で残っており、内容物４０の上部が露出されるようになる。
【００５６】
続いて、この図３に示される状態から、露出したカットシート冊を取出した後、底面パネル４の両側から直立する外フラップ９、１４の中央部分の、「八」の字形状の切込線２２、２４に沿って、山形三角形状のパネル片９ａ、１４ａ部分の頂部を掴んで左右に、かつ下方に向って引き下げるように切断する。これによって、両側の外フラップ９、１４は、フラップ片９ａ、１４ａが切込線２２、２４に沿って切断されると共に、略直角三角形状のフラップ片９ｂ、１４ｂが内フラップ６、８、１１、１３に接着した状態で残っており、図４に示される状態に開かれるようになる。
【００５７】
従って、両側の内フラップ６、８、１１、１３が、完全にフリーとなって、外方に向って開くことができるようになる。
【００５８】
これによって、先に既に切断されて開かれた正面パネル３のパネル片３ａと、天面パネル２と、背面パネル１とを図５に示されるように一方の側に１つの連続した条片として一体的に開くことができると共に、正面パネル３のＭ字形のパネル片３ｂと、内フラップ８、１３とが反対側の方に開くことができ、内容物４０全体が図５に示されるように完全に露出されるようになるので、内容物４０を簡単に取り出すことができる。このように、上方の内容物（カットシート冊）を取出した後に、全開状態にすると、全開前の状態で下方の内容物の保管が出来ると共に、取出しが容易となる。
【００５９】
内容物４０が完全に取り出されて残った紙製収納箱１０の残余部材は、簡単に折り畳むことができ、小さく纏めて廃棄することができる。
【００６０】
このように、本発明の紙製収納箱１０は、両側に側面パネルとしての内フラップ６、８、１１、１３と外フラップ７、９、１２、１４とを有する連接する４つのパネルとしての背面パネル１と天面パネル２と正面パネル３と底面パネル４とを接合部である糊代５によって直方体形状のケースとして組立て、中にカットシート冊のような内容物４０を詰めて閉鎖して商品としてのケースを形成する。このようなケース状の本発明の紙製収納箱１０を開封する際には、正面パネル３の中央の開口部１９に指先を掛けて切込線としてのジッパーの切込線２０に沿って上方に引き上げるようにして開封することができ、これに続いて残りのジッパーの切込線２１、２２、２３、２４に沿って側面パネルを形成する外フラップ７、９、１２、１４等も内フラップ６、８、１１、１３と一緒に分断して開いて、紙製収納箱１０を完全に開くことが簡単に、かつ容易に行うことができ、しかも、カットシート冊の内容物４０を容易に取り出すことが可能となる。内容物４０を取り出した後は、開いた段ボールブランクである紙製収納箱１０の空の殻部材を容易に廃棄することができるようになるものであり、単に、紙製収納箱１０の正面パネル３と両側面側の側面パネルを形成する外フラップ７、９、１２、１４とを開封することで、カットシート冊のような内容物４０の容易な取り出しと、紙製収納箱１０の解体および廃棄等が容易になる等の効果を奏することができる。しかも解体後の紙製収納箱１０は、小さく折り畳んで古紙として再生利用することが可能となる。また、紙製収納箱１０の下方を開放していない状態では、箱として再利用することも可能である。
【００６１】
なお、本実施例１において、側面パネルを形成する下方の外フラップ９、１４の開封用切込線２２、２４を設けないで、上方の開封用切込線２１、２３のみを設けることも出来る。この場合は、梱包体の上半分の開封は容易であるが、下半分の開封は容易でない。しかし、内容物のカットシート冊などを一回に取出すのではなく、少しづつ取出して再包装する場合などには、好適である。
【実施例２】
【００６２】
図６と図７は、本発明の紙製収納箱の実施例２を図示、説明するための概要図で、図６は、本発明の紙製収納箱をブランク状態に開いた展開図、図７は、図６の本発明の実施例２の紙製収納箱に内容物を収納して閉鎖した時の直方体形状としての紙製収納箱の全体形状を示す斜視図である。
【００６３】
図示されるように、本発明の実施例２においては、紙製収納箱５０は、背面パネル５１と底面パネル５２と正面パネル５３と天面パネル５４と糊代５５と、これらパネルの両側に設けられた側面パネルとしての内フラップ５６、５８、６１、６３と、外フラップ５７、５９、６２、６４とから形成されており、図示されるような状態に配置、構成されている。
【００６４】
図６に示されるように、本発明の紙製収納箱５０は、背面パネル５１と底面パネル５２と正面パネル５３と天面パネル５４とが連続した状態で形成され、天面パネル５４の端辺に接合部としての糊代５５が設けられており、各パネルの側辺に内フラップ５６、５８、６１、６３と外フラップ５７、５９、６２、６４とが設けられていて、直方体形状に組み立てられるように構成されている。
【００６５】
図７に示されるように、正面パネル５３のほぼ中央の領域には、横方向に細長い孔としての開口部６９が設けられており、この開口部６９の両側から上方に、末広がり形状に延びる「八」の字形状のジッパーの切込線７０が正面ジッパーとして設けられていて、開封手段として形成されている。この正面のジッパーの切込線７０は、開口部６９の両側の端部から上方に末広がりに、ほぼ「八」の字形状に形成されており、端部が、上方の角部から僅かに下方に離れた位置にて紙製収納箱５０の側辺の付近に終っている。
【００６６】
なお、この正面側のジッパーの切込線７０は、この実施例２においては、ほぼ直線状に形成されているが、直線状の他に、円弧等の曲線状に形成しても良いことは勿論である。また、外フラップ５７、５９、６２、６４にも、各フラップの外縁側のほぼ中央に、切欠き部としての窪み部６５、６６、６７、６８がそれぞれ設けられており、これら窪み部６５、６６、６７、６８に、それぞれ頂点が位置するように同様に末広がり形状、例えば「八」の字形状の、側面ジッパーとしての切込線７１、７２、７３、７４がそれぞれ設けられており、各切込線７１、７２、７３、７４の端部が、外フラップ５７、５９、６２、６４の側辺の付近にて、角部から幾分離れた処に位置されるように終わっている。これら側面ジッパーとしての切込線７１、７２、７３、７４は、直線状でも円弧等の曲線状でも、あるいはまた折れ線状でも、いずれの形状でも良く、本実施例では、円弧状に形成されている。
【００６７】
さらに、これら内フラップ５６、５８、６１、６３と外フラップ５７、５９、６２、６４との間には、素材である段ボールの紙厚さに対応した寸法の隙間７６、７７、７８、７９、８０、８１がそれぞれ設けられていて、組立て時に、内フラップ５６、５８、６１、６３と外フラップ５７、５９、６２、６４が好適に折り曲げられて重なり合うことができるように形成されている。
【００６８】
これら末広がり形状、例えば「八」の字形状の正面側のジッパーの切込線７０と、側面側のジッパーの切込線７１、７２、７３、７４は、「く」の字形の切込み等が連続して直線状または円弧等の曲線状あるいは折れ線状に設けられた切込線として形成されるもので、先の実施例１における切込線と同じものであり、開封手段として設けられているものである。
【００６９】
このような、図６に示されるような形状のブランクとして、本発明の実施例２における紙製収納箱５０が、図示の展開した状態で、一枚の平らな段ボールや板紙等から切り出されて作られる。
【００７０】
このような本発明の紙製収納箱５０において、底面パネル５２の上に所要の冊数のカットシート冊が置かれて、一方の側から背面パネル５１が起こされ、他方の側から正面パネル５３と天面パネル５４が起こされて内容物を包むように巻かれて、接合部である糊代５５が背面パネル５１の上辺に沿って折り曲げられて押圧されて背面パネル５１に糊等の接着剤９０を介して接着される。これと同時に、内フラップ５６、５８、６１、６３が内側に折り曲げられると共に、外フラップ５７、５９、６２、６４も内側に折り曲げられて糊等の接着剤９０によって内フラップ５６、５８、６１、６３の上に接着されて、中に内容物としてのカットシート冊が収納されて詰められた直方体形状のパッケージとして図７に示されるように形成される。
【００７１】
図７に示されるような本発明の紙製収納箱５０において、中身のカットシート冊を取り出すには、床やテーブルまたは台の上に置かれた本発明の紙製収納箱５０の正面パネル５３の開口部６９に指先を差し込んで上方に引き裂けば、正面パネル５３は、正面側のジッパーの切込線７０に沿って引き裂かれる。これに続いて、外フラップ５９、６４が側面側のジッパーの切込線７２、７４に沿って引き裂かれて天面パネル５４が開かれるようになる。さらにまた、これに続いて、なおも天面パネル５４と背面パネル５１とを引っ張れば、外フラップ５７、６２が側面側のジッパーの切込線７１、７３に沿って引き裂かれて、内容物４０が完全に露呈するように紙製収納箱５０が開封されるようになる。
【００７２】
このように、本発明の紙製収納箱５０が完全に開封されて内容物４０が完全に取り出されたならば、紙製収納箱５０の開封された残余部材は、簡単に折り畳むことができ、小さく纏めて廃棄処分することができる。
【００７３】
このように、本発明の紙製収納箱５０は、両側に側面パネルとしての内フラップ５６、５８、６１、６３と外フラップ５７、５９、６２、６４とを有する連接する４つのパネルとしての背面パネル５１と天面パネル５２と正面パネル５３と底面パネル５４とを接合部である糊代５５によって直方体のケース状に組立て、中にカットシート冊のような内容物４０を詰めて閉鎖して商品としてのケースを形成するものである。
【００７４】
このような紙製収納箱５０を開封する際には、正面パネル５３の中央の開口部６９に指先を掛けて切込線としての正面側のジッパーの切込線７０に沿って上方に引き上げるようにして開封することができ、これに続いて残りの側面側のジッパーの切込線７２、７４、さらに７１、７３に沿って側面パネルを形成する外フラップ５７、５９、６２、６４も内フラップ５６、５８、６１、６３と一緒に分断して開いて、紙製収納箱５０を完全に開くことが、簡単に、かつ容易にでき、しかも、カットシート冊の内容物を容易に取り出すことも可能となる。そして、内容物を取り出し後は、開いた段ボールブランクである紙製収納箱５０の空の殻部材を容易に廃棄することができるようになるものであり、単に、紙製収納箱５０の正面パネル５３と両側面側の側面パネルを形成する外フラップ５７、５９、６２、６４とを開封することで、カートシート冊のような内容物の容易な取り出しと、紙製収納箱５０の解体および廃棄等とが容易になる等の効果を奏することができる。しかも解体後の紙製収納箱５０を小さく折り畳んで古紙として再生利用することが可能となる。また、紙製収納箱の下方を開放していない状態では、箱として再利用することも可能である。
【００７５】
このように、本実施例２の紙製収納箱５０においても、上記実施例１と同様に、正面パネル５３を開封すると共に、天面パネル５４を開封して露出した内容物のカットシート冊を取出した後に、側面パネルを形成する残りの下フラップ５７、６２を開封して紙製収納箱５０を完全に開いて、残りの内容物のカットシート冊全体が完全に露出されるようになるので、これによって、露出された残りのカットシート冊を容易に取出しできるようになる。
【実施例３】
【００７６】
図８乃至図１１は、本発明の紙製収納箱の実施例３を図示、説明するための概要図で、図８は、本発明の実施例３の紙製収納箱をブランク状態に開いた展開図、図９は、図８の本発明の実施例３の紙製収納箱に内容物を収納して閉鎖した時の直方体形状としての紙製収納箱の全体形状を示す斜視図で、図１０は、図９の本発明の実施例３の紙製収納箱を開封し始めた時の最初の状態を示す斜視図、図１１は、図１０の本発明の実施例３の紙製収納箱から内容物を全て取り出して平らに押し潰した状態を示す斜視図である。
【００７７】
図示されるように、本発明の実施例３において、紙製収納箱１００は、正面パネル１０１と天面パネル１０２と背面パネル１０３と底面パネル１０４と糊代１０５と、これらパネルの両側に設けられた側面パネルとしての内フラップ１０６、１０８、１１１、１１３と、外フラップ１０７、１０９、１１２、１１４とから形成されており、図示されるような状態に配置、構成されている。
【００７８】
図８に示されるように、本発明の紙製収納箱１００は、正面パネル１０１と天面パネル１０２と背面パネル１０３と底面パネル１０４とが連続した状態で形成され、底面パネル１０４の縁辺に接合部としての糊代１０５が設けられており、各パネルの側辺に内フラップ１０６、１０８、１１１、１１３と外フラップ１０７、１０９、１１２、１１４とが設けられている。
【００７９】
図９に示されるように、正面パネル１０１の縦中心線上の中央領域において、外方側の縁辺の近くには、横方向に細長い変形台形状の孔としての開口部１２２が設けられている。さらに、この開口部１２２の両側の端部から上方に、末広がり形状に延びる略「八」の字形状のジッパーが正面ジッパーの切込線１２４として形成され、開封手段が設けられている。この正面のジッパーの切込線１２４は、開口部１２２の両側の端部から上方に末広がりにほぼ「八」の字形状に形成されており、端部が、上方の角部から僅かに下方に離れた位置にて紙製収納箱１００の側辺の付近に終わっている。
【００８０】
なお、この正面側の切込線１２４は、この実施例３においては、ほぼ直線状に形成されているが、直線状の他に、円弧状等の曲線状に形成しても良いことは勿論であり、開口部１２２の位置も、外方側の縁辺の近くだけではなく、縦中心線に沿って中央部付近にも天面パネル１０２近くにも配置することが出来るものであり、さらに、左右の方向に対しても、いずれかの内フラップ１０６、１１１に近付いた位置に設けることも出来る。
【００８１】
また、内フラップ１０６、１１１の外縁側のほぼ中央に、ほぼ三角形状の切欠き部としての窪み部１１５、１１６が設けられると共に、背面パネル１０３側の内フラップ１０８、１１３の外縁辺のほぼ中央にもほぼ三角形状の切欠きとしての窪み部１１７、１１８が設けられており、これら窪み部１１５、１１６、１１７、１１８から末広がりの形態として折れ線形の、側面ジッパーとしての切込線１２５、１２６、１２７、１２８がそれぞれ設けられており、各切込線１２５、１２６、１２７、１２８の端部が、内フラップ１０６、１１１、１０８、１１３の側辺のほぼ中央付近に位置されるように終っている。これら側面ジッパーとしての切込線１２５、１２６、１２７、１２８は、折れ線形の他に、直線状でも円弧等の曲線状でも良く、本実施例では、折れ線形の形状に形成されている。
【００８２】
また、底面パネル１０４の外フラップ１０９、１１４の外縁辺のほぼ中央には、円弧状の切欠きとしての窪み部１１９、１２０が設けられている。
【００８３】
さらに、これら内フラップ１０６、１０８、１１１、１１３と外フラップ１０７、１０９、１１２、１１４との間には、素材である段ボールの紙厚さに対応した寸法の隙間１３１、１３２、１３３、１３４、１３５、１３６がそれぞれ設けられていて、組立て時に、内フラップ１０６、１０８、１１１、１１３と外フラップ１０７、１０９、１１２、１１４が好適に折り曲げられて重なり合うことができるように形成されている。
【００８４】
末広がり形状に延びる略「八」の字形状の正面側の切込線１２４と、側面側の折れ線形の切込線１２５、１２６、１２７、１２８は、ミシン目や、「く」の字形等の切込みが連続して直線状または曲線状あるいは折れ線形の形状に設けられた切込線として形成されるもので、先の実施例１および実施例２における切込線と同じものであり、開封手段として設けられているものである。
【００８５】
このような、図８に示されるような形状のブランクとして、本発明の実施例３における紙製収納箱１００が、図示の展開した状態で、一枚の平らな段ボールや板紙等から切り出されて作られる。
【００８６】
このような本発明の紙製収納箱１００のブランクにおいて、底面パネル１０４の上に所要の冊数のカットシート冊が内容物１４０として置かれて、一方の側から背面パネル１０３が起こされ、続いて天面パネル１０２と正面パネル１０１が起こされて内容物１４０を包むように巻かれて、内容物１４０が包囲される。そして、接合部である糊代１０５が正面パネル１０１の下辺に沿って折り曲げられて押圧されて正面パネル１０１に糊等の接着剤１３８を介して接着される。これと同時に、内フラップ１０６、１０８、１１１、１１３が内側に折り曲げられると共に、外フラップ１０７、１０９、１１２、１１４も内側に折り曲げられて糊等の接着剤１３８によって内フラップ１０６、１０８、１１１、１１３の上に接着されて、中に内容物１４０としてのカットシート冊が収納されて詰められた直方体形状のパッケージとして図９に示されるような直方体の形状に形成される。
【００８７】
図９に示されるような本発明の紙製収納箱１００において、中身のカットケース冊を取り出すには、床やテーブルまたは台の上に置かれた本発明の紙製収納箱１００の正面パネル１０１の開口部１２２に指先を差し込んで上方に引き裂けば、正面パネル１０１は、正面側のジッパーの切込線１２４に沿って引き裂かれる。これに続いて、天面パネル１０２に接合する外フラップ１０７、１１２を引き剥がすことができ、正面パネル１０１側の内フラップ１０６、１１１のジッパーの切込線１２５、１２６に沿って引き裂かれると共に、背面パネル１０３の内フラップ１０８、１１３のジッパーの切込線１２７、１２８に沿って引き裂かれて、天面パネル１０２と側面パネルを形成する外フラップ１０７、１１２が図１０に示されるように開かれるようになる。この状態で、カットシート冊の取出しが可能となる。
【００８８】
これに続いて、露出したカットシート冊を取り出した後、底面パネル１０４の両側に接合する外フラップ１０９、１１４を外側に向って引き剥がすと、正面パネル１０１の両側に接合する内フラップ１０６、１１１と背面パネル１０３の両側に接合する内フラップ１０８、１１３とから引き離されて開かれるようになる。従って、正面パネル１０１の両側の内フラップ１０６、１１１を左右に開いて、正面パネル１０１の残ったＭ字形のパネル片１０１ｂと一緒に、内フラップ１０６、１１１のフラップ片１０６ａ、１１１ａを台の上に向って押し倒して平らに開くように置くことができる。
【００８９】
このような状態で、開封された紙製収納箱１００からカットシートの内容物１４０を簡単に取り出すことができるようになる。
【００９０】
こうして、開封された紙製収納箱１００から内容物１４０が全部取り出されたならば、残った空の紙製収納箱１００を図１１に示されるように平らに押し潰して廃棄することが出来るようになる。
【００９１】
また、本実施例３において、側面パネルを形成する内フラップ１０６、１０８、１１１、１１３の下方側にも開封手段を設けてもよいことは言うまでもない。
【００９２】
このように、本発明のこの実施例３の紙製収納箱１００の正面パネル１０１と両側面パネル形成する内外フラップ１０６〜１０９、１１１〜１１４を開くことで、開封が容易に行うことができ、内容物１４０の容易な取り出しと紙製収納箱１００の解体および廃棄が容易になり、さらにまた古紙として再生利用が可能となる等の効果が得られる。
【００９３】
このように、本発明の紙製収納箱１０、５０、１００は、両側に、側面パネルを形成する内フラップ６、８、１１、１３、５６、５８、６１、６３、１０６、１０８、１１１、１１３と外フラップ７、９、１１、１３、５７、５９、６２、６４、１０７、１０９、１１１、１１３とを有する連接する４つのパネルとしての背面パネル１、５１、１０３と底面パネル４、５２、１０４と正面パネル３、５３、１０１と天面パネル２、５４、１０２とを接合部である糊代５、５５、１０５によって長方形のケース状に組立て、中にカットシート冊のような内容物４０、１４０を詰めて閉鎖して商品としてのケースを形成することができる。
【００９４】
このような本発明の紙製収納箱１０、５０、１００を開封する際には、正面パネル３、５３、１０１の中央の開口部１９、６９、１２２に指先を掛けて切込線としての正面側のジッパーの切込線２０、７０、１２４に沿って上方に引き上げるようにして開封することができ、これに続いて残りの側面側のジッパーの切込線２１、２２、２３、２４、７１、７２、７３、７４、１２５、１２６、１２７、１２８に沿って側面パネルの外フラップ７、９、１２、１４、５７、５９、６２、６４、１０７、１０９、１１２、１１４等も内フラップ６、８、１１、１３、５６、５８、６１、６３、１０６、１０８、１１１、１１３と一緒に分断して開いて、紙製収納箱１０、５０、１００を完全に開くことが、簡単に、かつ容易に行うことができる。しかも、開いた紙製収納箱１０、５０、１００から、カットシート冊の内容物４０、１４０を容易かつ簡単に取り出すことも可能となる。また、側面パネルの開封は、内容物を取り出しながら、上段、下段と段階的に行うことにより、残りの内容物の保管機能を持たせることが出来る。さらに内容物を全て取り出し後は、開いた段ボールブランクである紙製収納箱１０、５０、１００の空の殻部材を容易に廃棄することができるようになるものであり、単に、紙製収納箱１０、５０、１００の正面パネル３、５３、１０３と両側面側の側面パネルの外フラップ７、９、１２、１４、５７、５９、６２、６４、１０７、１０９、１１１、１１３とを開封することで、カットシート冊のような内容物４０、１４０の容易な取り出しと、紙製収納箱１０、５０、１００の解体および廃棄等が、容易になる等の効果を奏することができ、しかも解体後の紙製収納箱１０、５０、１００を小さく折り畳んでリサイクル処理することができ、古紙として再生利用することが可能となる。また、紙製収納箱の上方のみを開放した状態では、箱として再利用することも可能である。
【産業上の利用可能性】
【００９５】
本発明の紙製収納箱は、４面の連接するパネルと、各パネルの両側に設けられた側面パネルとを有し、正面または背面パネルの面上と両側面パネルの上方とに、末広がり形状の切込線から成る開封手段が設けられているので、紙製収納箱の正面または背面と両側面のパネルを開封することで、内容物の容易な取り出しとケースの解体および廃棄が容易になり、さらにまた古紙としての再生利用が可能となる等の効果が得られ、しかも安価に容易に製作することができる。また、ラップラウンドケースのみでなく、箱を組み立ててから内容物を収納する形式の段ボール箱や厚紙の箱などに適用することが出来る。
【図面の簡単な説明】
【００９６】
【図１】本発明の実施例１における紙製収納箱をブランク状態に開いた展開図である。
【図２】図１の本発明の実施例１の紙製収納箱に内容物を収納して閉鎖した時の斜視図である。
【図３】図２の本発明の実施例１の紙製収納箱を開封し始めた時の最初の状態を示す斜視図である。
【図４】本発明の実施例１の紙製収納箱を図３に続いてさらに開いた時の状態を示す斜視図である。
【図５】本発明の実施例１の紙製収納箱を図４に続いて完全に開いた時の状態を示す斜視図である。
【図６】本発明の実施例２における紙製収納箱をブランク状態に開いた展開図である。
【図７】図６の本発明の実施例２における紙製収納箱に内容物を収納して閉鎖した時の斜視図である。
【図８】本発明の実施例３における紙製収納箱をブランク状態に開いた展開図である。
【図９】図８の本発明の実施例３の紙製収納箱に内容物を収納して閉鎖した時の斜視図である。
【図１０】図９の本発明の実施例３の紙製収納箱を開封し始めた時の最初の状態を示す斜視図である。
【図１１】図１０の本発明の実施例３の紙製収納箱から内容物を取り出して平らに潰した状態を示す斜視図である。
【符号の説明】
【００９７】
１        背面パネル
２        天面パネル
３        正面パネル
４        底面パネル
５        糊代
６        内フラップ
７        外フラップ
８        内フラップ
９        外フラップ
１０      紙製収納箱
１１      内フラップ
１２      外フラップ
１３      内フラップ
１４      外フラップ
１５      窪み部
１６      窪み部
１７      窪み部
１８      窪み部
１９      開口部
２０      切込線
２１      切込線
２２      切込線
２３      切込線
２４      切込線
２６      隙間
２７      隙間
２８      隙間
２９      隙間
３０      隙間
３１      隙間
３５      接着剤（糊）
４０      内容物
５０      紙製収納箱
５１      背面パネル
５２      底面パネル
５３      正面パネル
５４      天面パネル
５５      糊代
５６      内フラップ
５７      外フラップ
５８      内フラップ
５９      外フラップ
６１      内フラップ
６２      外フラップ
６３      内フラップ
６４      外フラップ
６５      窪み部
６６      窪み部
６７      窪み部
６８      窪み部
６９      開口部
７０      切込線
７１      切込線
７２      切込線
７３      切込線
７４      切込線
７６      隙間
７７      隙間
７８      隙間
７９      隙間
８０      隙間
８１      隙間
９０      接着剤（糊）
１０１    正面パネル
１０２    天面パネル
１０３    背面パネル
１０４    底面パネル
１０５    糊代
１０６    内フラップ
１０７    外フラップ
１０８    内フラップ
１０９    外フラップ
１１１    内フラップ
１１２    外フラップ
１１３    内フラップ
１１４    外フラップ
１１５    窪み部
１１６    窪み部
１１７    窪み部
１１８    窪み部
１１９    窪み部
１２０    窪み部
１２２    開口部
１２４    切込線
１２５    切込線
１２６    切込線
１２７    切込線
１２８    切込線
１３１    隙間
１３２    隙間
１３３    隙間
１３４    隙間
１３５    隙間
１３６    隙間
１３８    接着剤（糊）
１４０    内容物
【図１】
2005104548.tif 000003
【図２】
2005104548.tif 000004
【図３】
2005104548.tif 000005
【図４】
2005104548.tif 000006
【図５】
2005104548.tif 000007
【図６】
2005104548.tif 000008
【図７】
2005104548.tif 000009
【図８】
2005104548.tif 000010
【図９】
2005104548.tif 000011
【図１０】
2005104548.tif 000012
【図１１】
2005104548.tif 000013